(57)【要約】【課題】  建築物の内部に設置された照明灯の周りに設置し、点灯時の照明灯の熱により発生する自然対流で、汚染された空気を接触させることにより機能し、騒音の発生もなく、かつ空気流を発生させる装置も不要で、経済的で管理も容易な空気浄化体とする。【解決手段】  建築物の内部に設置された照明灯１の周りに、照明灯１から間隔をおいて配設される空気浄化体２であり、空気浄化体２は空気浄化材料が付着された格子状体に形成されている。【選択図】  図１
0003105867.tif 000002
【実用新案登録請求の範囲】
【請求項１】
建築物の内部に設置された照明灯の周りに、照明灯から間隔をおいて配設される空気浄化体であり、この空気浄化体は空気浄化材料が付着された格子状体に形成されていることを特徴とする空気浄化体。
【請求項２】
空気浄化材料は脱臭機能を有する吸着材である請求項１記載の空気浄化体。
【請求項３】
空気浄化材料は光触媒である請求項１記載の空気浄化体。
【請求項４】
空気浄化材料は吸着材と光触媒を含有している請求項１記載の空気浄化体。
【請求項５】
空気浄化材料はマイナスイオン発生物質を含有している請求項１から４のいずれかに記載の空気浄化体。
【請求項６】
建築物の内部に設置された照明灯の周りに、照明灯から間隔をおいて配設される空気浄化体であり、この空気浄化体は空気浄化材料を含有する樹脂で格子状体に形成されていることを特徴とする空気浄化体。
【請求項７】
空気浄化材料は脱臭機能を有する吸着材である請求項６記載の空気浄化体。
【請求項８】
空気浄化材料は光触媒である請求項６記載の空気浄化体。
【請求項９】
空気浄化材料は吸着材と光触媒を含有している請求項６記載の空気浄化体。
【請求項１０】
空気浄化材料はマイナスイオン発生物質を含有している請求項６から９のいずれかに記載の空気浄化体。
【考案の詳細な説明】
【技術分野】
【０００１】
本考案は、建築物の内部に設置された照明灯の周りに設置し、室内等の空気を浄化するための空気浄化体に関するものである。
【背景技術】
【０００２】
近年、室内の空気は建材等から発生するシックハウス症候群の原因物質であるホルムアルデヒド等の環境ホルモン、タバコ臭、その他室外から入って来る外気からの排気ガス、悪臭等の有害物質で汚染されている。
そこで、室内の空気を清浄化するために、従来は空気清浄機のほか、エアコン、温風暖房機等に空気浄化機能を持たせて、これらの機具を使用して空気を浄化し、快適な室内環境の改善を図っているのが殆どである。
【０００３】
一例として、特開２００１ー３２４２１２の空気清浄機では、空気取り入れ口側に空気清浄化のための光触媒機構と、光触媒機構を通過した空気中の残留物を除去するためのフィルタとを備え、又空気吐き出し口側にも光触媒を配設している。
そして、ファンで空気を送風し、強制的に空気を光触媒に接触させ、空気中の汚染物質である各有機物質を分解している。
このように、空気清浄機のほか、エアコン、温風暖房機もファンで強制的に空気流を発生させ、汚染された空気を浄化材に接触させて有害物質を分解しているので、使用時はモーター等の騒音が生じると共に、機具の購入費や電気代等の維持費が高価となり、経済的負担が大きい問題点を有している。
又、フィルタや光触媒機構を取り外しての掃除等が面倒でもある。
【考案の開示】
【考案が解決しようとする課題】
【０００４】
上記点より、本考案は建築物の内部に設置された照明灯の周りに設置し、点灯時の照明灯の熱により発生する自然対流で、汚染された空気を接触させることにより機能し、騒音の発生もなく、かつ空気流を発生させる装置も不要で、経済的で管理も容易な空気浄化体を提供しようとするものである。
【課題を解決するための手段】
【０００５】
上記課題を解決するため請求項１記載の本考案空気浄化体は、建築物の内部に設置された照明灯の周りに、照明灯から間隔をおいて配設される空気浄化体であり、この空気浄化体は空気浄化材料が付着された格子状体に形成されていることを特徴とするものである。
【０００６】
このような構成とすることにより、照明灯の周りは、点灯すると照明灯から発する熱により自然に空気流が発生するため、照明灯の周りに空気浄化体を配設しておけば、特別に空気流を発生させる装置等は不要で、汚染された空気は自然対流で空気浄化体に付着された空気浄化材料に接触し、浄化される。
又、空気浄化体は格子状体に形成されているため、照明機能を阻害することがなく、しかも空気との接触面積が大きく、浄化効率が良い。
【０００７】
次に、請求項２記載の本考案空気浄化体は、請求項１記載の空気浄化体において、空気浄化材料は脱臭機能を有する吸着材であることを特徴とするものである。。
【０００８】
このような構成とすることにより、汚染された空気が吸着材に接触することにより、空気中の臭い成分を吸着除去する。
【０００９】
次に、請求項３記載の本考案空気浄化体は、請求項１記載の空気浄化体において、空気浄化材料は光触媒であることを特徴とするものである。
【００１０】
このような構成とすることにより、照明灯の点灯で汚染された空気が光触媒に接触することにより、汚染物質である各有機物質が光触媒によって酸化分解されると共に、雑菌類は殺菌される。又臭い成分も無臭化される。
更に、光触媒は照明灯で照射されているため活性化し、強い酸化力を呈し、触媒の寿命も長くなる。
【００１１】
次に、請求項４記載の本考案空気浄化体は、請求項１記載の空気浄化体において、空気浄化材料は吸着材と光触媒を含有しているものである。
【００１２】
このような構成とすることにより、請求項２および３の機能に加え、吸着材に臭い分子が一定量以上吸着しても、吸着した臭い成分を触媒作用で分解するため、脱臭効果が薄れることはない。
【００１３】
次に、請求項５記載の本考案空気浄化体は、請求項１から４のいずれかに記載の空気浄化体において、空気浄化材料はマイナスイオン発生物質を含有しているものである。
【００１４】
このような構成とすることにより、室内等にマイナスイオンが発生し、空気の清浄化、消臭、防カビの機能を有する。
【００１５】
次に、請求項６記載の本考案空気浄化体は、建築物の内部に設置された照明灯の周りに、照明灯から間隔をおいて配設される空気浄化体であり、この空気浄化体は空気浄化材料を含有する樹脂で格子状体に形成されていることを特徴とするものである。
【００１６】
このような構成とすることにより、空気浄化材料を塗布等により付着することなく、請求項１記載の空気浄化体と同様の機能を有する。
【００１７】
次に、請求項７記載の本考案空気浄化体は、請求項６記載の空気浄化体において、空気浄化材料は脱臭機能を有する吸着材であることを特徴とするものである。
【００１８】
このような構成とすることにより、空気浄化材料を塗布等により付着することなく、請求項２記載の空気浄化体と同様の機能を有する。
【００１９】
次に、請求項８記載の本考案空気浄化体は、請求項６記載の空気浄化体において、空気浄化材料は光触媒であることを特徴とするものである。
【００２０】
このような構成とすることにより、空気浄化材料を塗布等により付着することなく、請求項３記載の空気浄化体の機能を有する。
【００２１】
次に、請求項９記載の本考案空気浄化体は、請求項６記載の空気浄化体において、空気浄化材料は吸着材と光触媒を含有しているものである。
【００２２】
このような構成とすることにより、空気浄化材料を塗布等により付着することなく、請求項４記載の空気浄化体と同様の機能を有する。
【００２３】
次に、請求項１０記載の本考案空気浄化体は、請求項６から９のいずれかに記載の空気浄化体において、空気浄化材料はマイナスイオン発生物質を含有しているものである。
【００２４】
このような構成とすることにより、空気浄化材料を塗布等により付着することなく、請求項５記載の空気浄化体と同様の機能を有する。
【考案の効果】
【００２５】
本考案によれば、室内等の照明灯の周りに空気浄化体を配設することにより、点灯すると照明灯から発する熱により自然に空気流が発生し、自然対流で空気浄化体の空気浄化材料である吸着材又は光触媒又は吸着材と光触媒の混合材に接触し、汚染された空気中の臭い成分の脱臭、汚染された空気中の各有機物質の酸化分解、雑菌類の殺菌、マイナスイオンの発生等により空気が浄化され、快適な室内環境を作り出す効果を有する。
勿論、消灯時であっても、空気浄化体に空気が接触すれば浄化機能を発揮する。したがって、一般家庭や照明灯が多く設置されている職場等では好適である。
【００２６】
又、自然対流を利用するため、空気清浄機等のように、ファンで強制的に空気流を発生させ、強制対流で空気浄化材料に汚染された空気を接触させて有害物質を分解するものに比べて、モーター等の騒音の発生がなく、製造コストも安価であると共に、電気代等の維持費が掛からず経済的である。
特に、別途に照明灯を取り付けなくても、既に設置されている照明灯を利用できるので、経済的効果が大きい。
【００２７】
又、空気浄化体は格子状体に形成されているため、照明機能を阻害することがなく、しかも空気との接触面積が大きく、浄化効率が良くなる効果を有する。
更に、空気浄化体は格子状体で照明灯の周りに照明灯から間隔をおいて配設されているため、掃除やその他の管理がし易いと共に、装飾的効果も有する。
【考案を実施するための最良の形態】
【００２８】
以下、本考案の一実施の形態を添付図面を参照して説明する。
図１及び図２は本考案空気浄化体を室内の天井面に設置した照明灯の周りに取り付けた斜視図、図３及び図４は本考案空気浄化体を室内の壁面に設置した照明灯の周りに取り付けた斜視図である。
【００２９】
図中１は蛍光灯等の照明灯である。２は照明灯１の周りに照明灯１から間隔をおいて配設された空気浄化体である。
本考案は、照明灯１の点灯時の熱により発生する空気の自然対流で汚染された空気を空気浄化体２に接触させ、空気の浄化を行うものである。
空気浄化体２は、材質は木、合成樹脂、金属等が用いられ、断面が四角形の棒状基材で、格子状体に形成されている。勿論、断面が円形の棒状基材でもよい。
格子状体であれば、図１又は図４のように、照明灯１の照射方向の一面のみに、天井面３又は壁面４の取り付け面に四角形の枠状に支持金具５で取り付けてもよく、或いは図２のように、照明灯１の側面の四方を囲むように柵状に天井面３に支持金具５で取り付けてもよく、或いは図３のように、照明灯１の側面の三方を囲むように柵状に壁面４に支持金具５で取り付けてもよい。
又、図２の場合は、格子状体で四角形の柵状に囲ってあるが、円形やその他の多角形の柵状でもよく、更に照明灯１の下面にも設けても良い。勿論、図１の場合も同様に四角形に限定されるものではない。
【００３０】
空気浄化体２の表面に空気浄化材料が粉末状の塗料とされ、塗布等により付着されている。
付着は空気浄化体２の表面に空気浄化材料を直接付着してもよく、或いはフェルト、シート、布等に空気浄化材料を付着したものを空気浄化体２に貼着することもできる。
【００３１】
空気浄化材料として、脱臭機能を有する吸着材又は光触媒又は吸着材と光触媒を含有したものが用いられる。
具体的には、脱臭機能を有する吸着材として活性炭が好適で、臭い成分を吸着する。その他ゼオライトやシリカゲルが挙げられる。
光触媒は紫外線照射により光エネルギーを吸収し、光触媒分子が電離して電子とホールが生成し、その物質表面において強い酸化力を呈し、汚染物質を形成する有機物を酸化分解するもので、特によく知られている酸化チタンが好適である。その他光触媒として、酸化亜鉛、酸化クロム等が挙げられる。
光触媒を用いた場合、照明灯１は蛍光灯が好ましく、紫外線照射で光触媒を活性化し、寿命を延ばすことも知られている。
【００３２】
この光触媒は、酸化チタンと無機バインダーを混合させて、水やアルコール等の溶媒に溶解させたものを空気浄化体の表面に塗布し、乾燥させることによって固着する。又、酸化チタンと活性炭を混合したものを使用することもできる。
【００３３】
又、吸着材、光触媒、或いは吸着材と光触媒を含有したものに、それぞれマイナスイオン発生物質を含有させて使用し、空気浄化体からマイナスイオンを発生させ、空気の清浄化、消臭、防カビの機能をもたせることもできる。
マイナスイオン発生物質として、セラミックスやトルマリンが好適で、その他にアルミナ、ジルコニア、二酸化ケイ素、フェライト等が挙げられる。
【００３４】
又、空気浄化体２が樹脂製の場合は、空気浄化材料を塗布等により付着してもよいが、脱臭機能を有する吸着材又は光触媒又は吸着材と光触媒を含有したものを練り込んだ樹脂で空気浄化体２を成形することもできる。
又、空気浄化材料にマイナスイオン発生物質を含有して練り込んだ樹脂で空気浄化体２を成形することもできる。
【図面の簡単な説明】
【００３５】
【図１】本考案空気浄化体の使用状態を示す斜視図である。
【図２】本考案空気浄化体の使用状態を示す斜視図である。
【図３】本考案空気浄化体の使用状態を示す斜視図である。
【図４】本考案空気浄化体の使用状態を示す斜視図である。
【符号の説明】
【００３６】
１  照明灯
２  空気浄化体
３  天井面
４  壁面
５  支持金具
【図１】
0003105867.tif 000003
【図２】
0003105867.tif 000004
【図３】
0003105867.tif 000005
【図４】
0003105867.tif 000006